(57)【要約】      （修正有）【課題】健康に寄与する装身具を提供する。【解決手段】ソーラー発電機１を具備した装身具であって、前記装身具は身体に取り付けられる取付部２を具備しており、前記装身具は、前記取付部２が身体に取り付けられた場合、前記身体に接触する電極端子を具備しており、前記電極端子と前記ソーラー発電機１とは電気的に接続されている装身具。【選択図】図１
2016029989.tif 000002
【特許請求の範囲】
【請求項１】
ソーラー発電機を具備した装身具であって、
前記装身具は身体に取り付けられる取付部を具備しており、
前記装身具は、前記取付部が身体に取り付けられた場合、前記身体に接触する電極端子を具備しており、
前記電極端子と前記ソーラー発電機とは電気的に接続されている
ことを特徴とする装身具。
【請求項２】
前記取付部が身体に取り付けられた場合に前記ソーラー発電機は光を受けて発電が開始されて前記電極端子を介して電気的刺激が身体に付与されるよう構成されてなることを特徴とする請求項１の装身具。
【請求項３】
前記装身具が指輪であることを特徴とする請求項１又は請求項２の装身具。
【請求項４】
前記装身具が腕輪であることを特徴とする請求項１又は請求項２の装身具。
【請求項５】
前記装身具がイヤリングであることを特徴とする請求項１又は請求項２の装身具。
【請求項６】
前記装身具がヘアバンドであることを特徴とする請求項１又は請求項２の装身具。
【発明の詳細な説明】
【技術分野】
【０００１】
本発明は装身具に関する。
【背景技術】
【０００２】
小型（ミニ）ソーラー発電機が知られている。この種のソーラー発電機は、例えば時計や首掛けライト（ネックライト）における電源として用いられている。前記ネックライトは、或る意味では、装身具である。
【先行技術文献】
【特許文献】
【０００３】
【特許文献１】特開２００９−２１６６７０号
【発明の概要】
【発明が解決しようとする課題】
【０００４】
前記ネックライトは、単に、装身具と言うに過ぎない。装身具以上のものではない。
【０００５】
本発明が解決しようとする課題は、装身具と雖も、装身具とは異なる機能、即ち、健康にも寄与する装身具を提供することを目的とする。
【課題を解決するための手段】
【０００６】
本発明は、
ソーラー発電機を具備した装身具であって、
前記装身具は身体に取り付けられる取付部を具備しており、
前記装身具は、前記取付部が身体に取り付けられた場合、前記身体に接触する電極端子を具備しており、
前記電極端子と前記ソーラー発電機とは電気的に接続されている
ことを特徴とする装身具を提案する。
【０００７】
本発明は、前記装身具であって、前記取付部が身体に取り付けられた場合に前記ソーラー発電機は光を受けて発電が開始されて前記電極端子を介して電気的刺激が身体に付与されるよう構成されてなることを特徴とする装身具を提案する。
【０００８】
本発明は前記装身具が指輪であることを特徴とする装身具を提案する。
【０００９】
本発明は前記装身具が腕輪であることを特徴とする装身具を提案する。
【００１０】
本発明は前記装身具がイヤリングであることを特徴とする装身具を提案する。
【００１１】
本発明は前記装身具がヘアバンドであることを特徴とする装身具を提案する。
【発明の効果】
【００１２】
装身具でありながらも、健康面でも役立つ。
【図面の簡単な説明】
【００１３】
【図１】本発明の第１実施形態になる装身具（指輪）の概略図
【図２】本発明の第２実施形態になる装身具（腕輪）の概略図
【図３】本発明の第３実施形態になる装身具（イヤリング）の概略図
【図４】本発明の第４実施形態になる装身具（ヘアバンド）の概略図
【発明を実施するための形態】
【００１４】
以下、本発明の実施形態が説明される。
本発明は装身具である。例えば、指輪である。例えば、腕輪である。例えば、イヤリングである。例えば、ネックレスである。例えば、ヘアバンドである。好ましくは、心臓から離れた位置に装着される装身具である。前記装身具はソーラー発電機を具備する。前記装身具は取付部を具備する。前記取付部は、前記装身具を、身体の一部に取り付ける為のものである。前記装身具は電極端子を具備する。前記電極端子と前記ソーラー発電機とは電気的に接続されている。前記取付部が身体に取り付けられた場合、前記電極端子が身体に接触するよう構成されている。前記取付部が身体の一部に取り付けられた場合に前記ソーラー発電機は光を受けて発電が開始されて前記電極端子を介して電気的刺激が身体に付与されるよう構成されている。
【００１５】
以下、具体的な実施形態が挙げられる。但し、本発明は以下の実施形態にのみ限定されない。本発明の特長が大きく損なわれない限り、各種の変形例や応用例も本発明に含まれる。
【００１６】
図１は本発明の第１実施形態（指輪）の概略図である。
【００１７】
図１中、１は小型（ミニ）ソーラー発電機である。この発電機１は光が当たると発電を行う。前記光は、例えば可視光である。或いは、紫外光である。どのような波長の光でも良い。太陽光に限られない、電灯の光でも良い。指輪が指に装着された場合、発電機１の受光部１ａが外光を受光するような位置に発電機１は取り付けられている。そして、発電機１の受光部１ａが受光し、発電機１は発電するよう構成されている。
【００１８】
２は取付部である。この取付部２はリングである。取付部（リング）２の素材は如何なる素材でも良い。例えば、金属、セラミック、石、樹脂などが適宜用いられる。取付部（リング）２が導電性素材で構成されている場合、少なくとも指との接触個所は絶縁性材料で被覆されている。発電機１は、取付部２に対して、取付部（リング）２が指に装着された場合、発電機１の受光部１ａが外光を受光するよう取り付けられている。
【００１９】
電極端子（図示せず）が、取付部（リング）２のリング内面（裏面）に露出するように設けられている。前記電極端子と発電機１とはリード線（図示せず）で電気的に接続されている。前記電極端子はピンポイント的な大きさである。
【００２０】
３は装飾部材である。装飾部材３は、例えば発光ダイオードである。装飾部材３が発光ダイオードの場合、発光ダイオード３と発電機１とはリード線で電気的に接続されている。従って、発電機１による発電が開始すると、装飾部材（発光ダイオード）３は発光する。
【００２１】
上記構成の指輪が指に装着される。指輪が指に装着された場合において、発電機１の受光部１ａに光が当たると、発電機１による発電が始まる。発電開始によって、取付部（リング）２の内面（裏面）に露出するように設けられた電極端子から、指に、電気が流れる。これによって、電気的刺激が指に加わる。これは、恰も、電気針治療（針治療における電気針治療）器である。従って、健康に寄与する。
【００２２】
図２は本発明の第２実施形態（腕輪）の概略図である。
【００２３】
図２中、１１は小型（ミニ）ソーラー発電機である。この発電機１１は光が当たると発電を行う。前記光は、例えば可視光である。或いは、紫外光である。どのような波長の光でも良い。太陽光に限られない、電灯の光でも良い。腕輪が腕に装着された場合、発電機１１の受光部１１ａに光が当たるように発電機１１は取り付けられている。すなわち、腕輪が腕に装着された場合、受光によって、発電機１１は発電するよう構成されている。
【００２４】
１２は取付部である。この取付部１２はリングである。取付部（リング）１２の素材は如何なる素材でも良い。例えば、金属、セラミック、石、樹脂などが適宜用いられる。取付部（リング）１２が導電性素材で構成されている場合、少なくとも腕との接触個所は絶縁性材料で被覆されている。発電機１１は、取付部１２に対して、取付部（リング）１２が腕に装着された場合、発電機１１の受光部１１ａが外光を受光するよう取り付けられている。
【００２５】
電極端子（図示せず）が、取付部（リング）１２のリング内面（裏面）に露出するように設けられている。前記電極端子と発電機１１とはリード線（図示せず）で電気的に接続されている。前記電極端子はピンポイント的な大きさである。
【００２６】
１３は装飾部材である。装飾部材１３は、例えば発光ダイオードである。装飾部材１３が発光ダイオードの場合、発光ダイオード１３と発電機１１とはリード線で電気的に接続されている。従って、発電機１１による発電が開始すると、装飾部材（発光ダイオード）１３は発光する。
【００２７】
上記構成の腕輪が腕に装着される。腕輪が腕に装着された場合において、発電機１１の受光部１１ａに光が当たると、発電機１１による発電が始まる。発電開始によって、取付部（リング）１２のリング内面（裏面）に露出するように設けられた電極端子から、腕に、電気が流れる。これによって、電気的刺激が腕に加わる。これは、恰も、電気針治療（針治療における電気針治療）器である。従って、健康に寄与する。
【００２８】
図３は本発明の第３実施形態（イヤリング）の概略図である。
【００２９】
図３中、２１は小型（ミニ）ソーラー発電機である。この発電機２１は光が当たると発電を行う。前記光は、例えば可視光である。或いは、紫外光である。どのような波長の光でも良い。太陽光に限られない、電灯の光でも良い。イヤリングが耳に装着された場合、発電機２１の受光部に光が当たるように発電機２１は取り付けられている。すなわち、イヤリングが耳に装着された場合、受光によって、発電機２１は発電するよう構成されている。
【００３０】
２２は取付部である。この取付部２２の素材は如何なる素材でも良い。例えば、金属、セラミック、石、樹脂などが適宜用いられる。発電機２１は、取付部２２に対して、取付部（リング）２２が耳に装着された場合、発電機２１の受光部が外光を受光するよう取り付けられている。
【００３１】
電極端子（図示せず）が、取付部２２表面に露出するように設けられている。電極端子と発電機２１とはリード線（図示せず）で電気的に接続されている。前記電極端子はピンポイント的な大きさである。
【００３２】
２３は装飾部材である。装飾部材２３は、例えば発光ダイオードである。装飾部材２３が発光ダイオードの場合、発光ダイオード２３と発電機２１とはリード線で電気的に接続されている。従って、発電機２１による発電が開始すると、装飾部材（発光ダイオード）２３は発光する。
【００３３】
上記構成のイヤリングが耳に装着される。イヤリングが耳に装着された場合において、発電機２１の受光部に光が当たると、発電機２１による発電が始まる。発電開始によって、取付部２２表面に露出して耳に接触するように設けられた電極端子から、耳に、電気が流れる。これによって、電気的刺激が耳に加わる。これは、恰も、電気針治療（針治療における電気針治療）器である。従って、健康に寄与する。
【００３４】
図４は本発明の第４実施形態（ヘアバンド）の概略図である。
【００３５】
図４中、３１は小型（ミニ）ソーラー発電機である。この発電機３１は光が当たると発電を行う。前記光は、例えば可視光である。或いは、紫外光である。どのような波長の光でも良い。太陽光に限られない、電灯の光でも良い。ヘアバンドが頭に装着された場合、発電機３１の受光部３１ａに光が当たるように発電機３１は取り付けられている。すなわち、ヘアバンドが頭に装着された場合、受光によって、発電機３１は発電するよう構成されている。
【００３６】
３２は取付部である。この取付部３２は略Ｕ（Ｃ）形状バンドである。取付部（バンド）３２の素材は如何なる素材でも良い。例えば、金属、セラミック、石、樹脂などが適宜用いられる。取付部（バンド）３２が導電性素材で構成されている場合、少なくとも頭との接触個所は絶縁性材料で被覆されている。発電機３１は、取付部（バンド）３２に対して、取付部（バンド）３２が頭に装着された場合、発電機３１の受光部３１ａが外光を受光するよう取り付けられている。
【００３７】
電極端子（図示せず）が、取付部（バンド）３２の裏面（内面）に露出するように設けられている。電極端子と発電機３１とはリード線（図示せず）で電気的に接続されている。前記電極端子はピンポイント的な大きさである。
【００３８】
３３は装飾部材である。装飾部材３３は、例えば発光ダイオードである。装飾部材３３が発光ダイオードの場合、発光ダイオード３３と発電機３１とはリード線で電気的に接続されている。従って、発電機３１による発電が開始すると、装飾部材（発光ダイオード）３３は発光する。
【００３９】
上記構成のヘアバンドが頭に装着される。ヘアバンドが頭に装着された場合において、発電機３１の受光部３１ａに光が当たると、発電機３１による発電が始まる。発電開始によって、取付部（バンド）３２の内面（裏面）に露出して頭に接触するように設けられた電極端子から、頭部に、電気が流れる。これによって、電気的刺激が頭に加わる。これは、恰も、電気針治療（針治療における電気針治療）器である。従って、健康に寄与する。
【符号の説明】
【００４０】
１，１１，２１，３１      ソーラー発電機
１ａ，１１ａ，３１ａ      受光部
２，１２，２２，３２      取付部
３，１３，２３，３３      装飾部材
【図１】
2016029989.tif 000003
【図２】
2016029989.tif 000004
【図３】
2016029989.tif 000005
【図４】
2016029989.tif 000006